(57)【要約】【課題】樹脂製の筐体に対して、炊飯時の熱の影響を最小限に抑制できるガス炊飯器を提供する。【解決手段】ガス炊飯器の筐体は樹脂製であり、下部筐体７と上部筐体を備える。下部筐体７はバーナ１０を内側に収容する。上部筐体は下部筐体７の上方に配置され、支持筒８０を内側に収容する。支持筒８０は内釜を支持する。下部筐体７の底部には、リング状板材５０と、該リング状板材５０とは独立して、四本の第一固定筒部４７が立設される。リング状板材５０の上面には、支持筒８０の底板８９がネジで固定される。四本の第一固定筒部４７には、上部筐体がネジで固定される。これにより、炊飯時に加熱される支持筒８０と非接触の状態で、上部筐体を支持筒８０の周囲に配置できる。よって、支持筒８０から上部筐体へ直接伝熱されるのを防止できるので、樹脂製の筐体に対して、炊飯時の熱による影響を最小限に抑制できる。【選択図】図９
2020065679.tif 000002
【特許請求の範囲】
【請求項１】
バーナと、有底筒状に形成され、底部に設けられた開口部の内側に前記バーナの炎口部を臨ませると共に、前記バーナの上方に内釜を支持し、当該内釜の周囲を取り囲む支持体と、前記バーナ及び前記支持体を内側に収容する筐体とを備え、水と米が投入される前記内釜を前記支持体に支持させ、前記筐体に設けられた蓋を閉じ、前記バーナを燃焼させ、前記バーナの燃焼排気を前記内釜と前記支持体との間の空間に通過させて炊飯を行うガス炊飯器において、
前記筐体は樹脂製であって、
前記バーナを内側に収容する下部筐体と、
前記下部筐体の上方に配置され、前記支持体を内側に収容する上部筐体と
を備え、
前記下部筐体は、
前記支持体の前記底部が固定される第一固定部と、
前記第一固定部とは独立して設けられ、前記上部筐体の下端部が固定される第二固定部と
を備えたことを特徴とするガス炊飯器。
【請求項２】
前記上部筐体の内面における少なくとも一部には、前記上部筐体の内側に向かって突出する突出部が設けられていること
を特徴とする請求項１に記載のガス炊飯器。
【発明の詳細な説明】
【技術分野】
【０００１】
本発明はガス炊飯器に関する。
【背景技術】
【０００２】
炊飯釜が挿脱自在に挿入される釜装着部を備えたケーシング、および、前記ケーシング内に装着されて、前記釜装着部に装着された前記炊飯釜を加熱するバーナを備えた燃焼式炊飯器が知られている（例えば、特許文献１参照）。ケーシングは、外枠と下枠からなる筒状の筐体、及び外枠と自己との間における空間のうち上端部分を閉じる状態で外枠の内方側に間隔を隔てて挿入される内胴から構成される。ケーシングは耐熱性の問題から金属製のものが一般的であるが、軽量化やデザインの自由度を高める要請から少なくともケーシングのうち、需要者の視界に入る筐体を樹脂化したいというニーズがある。
【先行技術文献】
【特許文献】
【０００３】
【特許文献１】特開２０００−３５０６５７号公報
【発明の概要】
【発明が解決しようとする課題】
【０００４】
ガス炊飯器においては、バーナ燃焼により生じる燃焼排気を、内釜と、その内釜の外側に配置される内筒との間に通過させる構成を採用する。それ故、炊飯時において、内胴は燃焼排気によって高熱になるので、樹脂製の筐体を内胴と接触することなく固定することが必要不可欠となる。ところが、上記の内胴は上端部分において外枠と接触して閉じた状態であるので、外枠を樹脂化するのは困難であった。
【０００５】
本発明の目的は、樹脂製の筐体に対して、炊飯時の熱の影響を最小限に抑制できるガス炊飯器を提供することである。
【課題を解決するための手段】
【０００６】
請求項１のガス炊飯器は、バーナと、有底筒状に形成され、底部に設けられた開口部の内側に前記バーナの炎口部を臨ませると共に、前記バーナの上方に内釜を支持し、当該内釜の周囲を取り囲む支持体と、前記バーナ及び前記支持体を内側に収容する筐体とを備え、水と米が投入される前記内釜を前記支持体に支持させ、前記筐体に設けられた蓋を閉じ、前記バーナを燃焼させ、前記バーナの燃焼排気を前記内釜と前記支持体との間の空間に通過させて炊飯を行うガス炊飯器において、前記筐体は樹脂製であって、前記バーナを内側に収容する下部筐体と、前記下部筐体の上方に配置され、前記支持体を内側に収容する上部筐体とを備え、前記下部筐体は、前記支持体の前記底部が固定される第一固定部と、前記第一固定部とは独立して設けられ、前記上部筐体の下端部が固定される第二固定部とを備えたことを特徴とする。
【０００７】
請求項２のガス炊飯器の前記上部筐体の内面における少なくとも一部には、前記上部筐体の内側に向かって突出する突出部が設けられているとよい。
【発明の効果】
【０００８】
請求項１のガス炊飯器によれば、下部筐体に対し、支持体と上部筐体が独立に固定されているので、炊飯時に加熱される支持体と非接触の状態で、上部筐体を支持体の周囲に配置できる。これにより、支持体から上部筐体へ直接伝熱されるのを防止できるので、樹脂製の筐体を備えるガス炊飯器において、炊飯時の熱による影響を最小限に抑制できる。
【０００９】
請求項２のガス炊飯器によれば、仮に輸送時において落下等の衝撃が加わったり、経年変化が生じたりしたとしても、上部筐体と支持体との接触を最小限とし、上部筐体に伝熱されて溶解するのを効率的に防止できる。
【図面の簡単な説明】
【００１０】
【図１】ガス炊飯器１の斜視図である。
【図２】ガス炊飯器１の正面図である。
【図３】ガス炊飯器１の右側面図である。
【図４】蓋体３を開いた状態のガス炊飯器１の斜視図である。
【図５】図２に示すＩ−Ｉ線矢視方向断面図である。
【図６】図３に示すＩＩ−ＩＩ線矢視方向断面図である。
【図７】上部筐体８の分解斜視図である。
【図８】上部筐体８の図３に示すＩＩ−ＩＩ線矢視方向断面図である。
【図９】下部筐体７、リング状板材５０、外側遮熱筒６０、内側遮熱筒７０、支持筒８０の分解斜視図である。
【図１０】図５に示すＷ１領域の部分拡大図である。
【図１１】図６に示すＷ２領域の部分拡大図である。
【発明を実施するための形態】
【００１１】
以下、本発明の実施形態を説明する。以下に記載されている装置の構造等は、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１２】
図１〜図９を参照し、ガス炊飯器１の外観構造を説明する。図１〜図３に示すように、ガス炊飯器１は、筐体２と蓋体３を備える。筐体２は上向きに開口する有底略筒状に形成される。筐体２は下部筐体７と上部筐体８を備え、何れも樹脂成型品である。
【００１３】
下部筐体７は有底略筒状に形成され、前面には操作パネル１７５が設けられる。下部筐体７の内側略中央部には、バーナ１０（図５参照）が収納される。下部筐体７の右側面の後側部には、貫通孔１６が設けられる。貫通孔１６からガス供給管１９が後方に突出する。ガス供給管１９には、図示外のガスホースが接続される。下部筐体７の底部には、複数の脚部１７７が設けられる。
【００１４】
上部筐体８は上下方向に延びる略筒状に形成され、下部筐体７の上部に同軸上に取り付けられる。上部筐体８の内側には内釜９（図５参照）が収容され、バーナ１０の直上に支持される。内釜９には米と水が収容される。上部筐体８の右側部及び左側部の夫々の上端部には、側面視矩形状の切欠部１２５が設けられる。切欠部１２５の内側には、後述する支持筒８０の鍔部８２の外周面部８４の一部が配置され、外方に露出される。右側方に露出する部分には、一対の排気口８４１が配置され、左側方に露出する部分には、一対の排気口８４２（図２参照）が設けられる。これら排気口８４１，８４２からは、バーナ１０からの燃焼排気が外部に向けて排出される。上部筐体８の左右両側部の上部には、略半円弧状のハンドル５が回動可能に軸支される。
【００１５】
蓋体３は平面視略円形状に形成され、その外殻部分は樹脂で形成される。蓋体３は後部に後方突出部３０１、前部に前方突出部３０２を備える。後方突出部３０１は、蓋体３の後部から後方に突出する平面視略矩形状に形成され、上部筐体８の上部の後端部に回動可能に軸支される。これにより、蓋体３は、上部筐体８の開口する上部を開閉できる（図１，図４参照）。前方突出部３０２は、蓋体３の前部から前方に突出する平面視略矩形状に形成される。前方突出部３０２の左右方向の略中央部には、係合部３０３が設けられる。係合部３０３は、上部筐体８の前側上部に設けられた後述する突起１１２（図４参照）に係合する。係合部３０３を押下すると、突起１１２に対する係止が解除され、後述するバネ３０８によって蓋体３が上方に押し上げられる。蓋体３の下面には、内蓋６（図４参照）が取り付けられる。上部筐体８に対して蓋体３が閉じられたとき、内蓋６は、内釜９の開口する上部を密閉できる。
【００１６】
図１〜図４を参照し、下部筐体７の外部構造を具体的に説明する。下部筐体７の右側壁及び左側壁は、夫々、湾曲部１７１、前側突出部１７２、後側突出部１７３を備える。湾曲部１７１は、右側壁及び左側壁の前後方向中央部に夫々形成され、外方に向けて緩やかに略円弧状に湾曲する。前側突出部１７２は、湾曲部１７１の前端部から前方に直線状に延びる。後側突出部１７３は湾曲部１７１の後端部から後方に直線状に延びる。下部筐体７の後壁は、右側壁と左側壁の夫々の後端部の間に接続される。下部筐体７の前側には、略矩形状の開口部１７４が形成される。開口部１７４には、操作パネル１７５が取り付けられる。操作パネル１７５は、前方に対して上部から下部にかけて下り傾斜する。これにより、操作パネル１７５の視認性及び操作性を向上できる。
【００１７】
貫通孔１６は、下部筐体７の右側面における湾曲部１７１の後方部に設け、後方に向けて略円形状に開口する。ガス供給管１９は、下部筐体７の内側から貫通孔１６を介して後方に向かって略直線状に突出する。これにより、図３に示すように、筐体２を右方から見た場合、貫通孔１６から後方に突出するガス供給管１９は、下部筐体７のうち後方に突出する後側突出部１７３とオーバーラップする。また、図２に示すように、筐体２を正面視で見た場合、ガス供給管１９は、下部筐体７の湾曲部１７１によって隠れて見えない。これにより、ガス炊飯器１は、ガス供給管１９を目立たなくできると共に、ガス供給管１９に障害物が引っ掛かり難くできる。
【００１８】
図７，図８を参照し、上部筐体８の構造を具体的に説明する。図７に示すように、上部筐体８は、前側板材１１、右側板材１２、左側板材１３、後側板材１４の４枚の樹脂成型品を互いに組み付けることによって、上下方向に延びる略筒状に構成される。上部筐体８は樹脂成型品で構成されるので、金属製の筐体に比べて軽量化を図ることができる。
【００１９】
前側板材１１は、正面視縦長略矩形状に形成される。前側板材１１の上端部には、後方に略水平に突出する上面部１１１が設けられる。上面部１１１の後端部は、後述する支持筒８０の外周面形状に対応して、前方に略円弧状に湾曲する。上面部１１１の上面の略中央部には、上方に突出する突起１１２が設けられる。突起１１２には、蓋体３の係合部３０３が上方から係止する。上面部１１１の下面における右端部と左端部には、一対の嵌入部１１３が設けられる（図８参照）。各嵌入部１１３は下方に突出する。上面部１１１の下面には、一対の当接部１１５が設けられる。一対の当接部１１５は側面視略Ｌ字状であり、互いに左右に離間する。前側板材１１の後面における右下部と左下部には、一対の嵌入部１１４が設けられる。各嵌入部１１４は下方に突出する。前側板材１１の後面の右上部には、突条部３１が設けられ、その下方には突条部３２が設けられる。突条部３１,３２は、上下方向に延びる直線状に形成される。前側板材１１の後面の左上部には、突条部３３が設けられ、その下方には突条部３４が設けられる。突条部３３,３４も、上下方向に延びる直線状に形成される。
【００２０】
後側板材１４は、前側板材１１と前後略対称形状である。後側板材１４は、背面視縦長略矩形状に形成される。後側板材１４の上端部には、前方に略水平に突出する上面部１４１が設けられる。上面部１４１の前端部は、後述する支持筒８０の外周面形状に対応して、後方に略円弧状に湾曲する。上面部１４１の上面には、回動軸支部１４２が設けられる。回動軸支部１４２は左右方向に延びる断面略半割筒状に形成され、その内側には、回動軸３０７（図５参照）が取り付けられる。その回動軸３０７に対して、蓋体３の後方突出部３０１が回動可能に軸支される。回動軸３０７の周囲を取り囲むようにして、バネ３０８（図５参照）が設けられる。バネ３０８は、蓋体３を上方に押し上げるように常時付勢する。
【００２１】
上面部１４１の下面における右端部と左端部には、一対の嵌入部１４３が設けられる。各嵌入部１４３は下方に突出する。上面部１４１の下面には、一対の当接部１４５が設けられる。一対の当接部１４５は側面視略Ｌ字状であり、互いに左右に離間する。後側板材１４の前面における右下部と左下部には、一対の嵌入部１４４が設けられる。各嵌入部１４４は下方に突出する。後側板材１４の前面の右上部には、突条部３５が設けられ、その下方には突条部３６が設けられる。突条部３５,３６は、上下方向に延びる直線状に形成される。後側板材１４の前面の左上部には、突条部３７が設けられ、その下方には突条部３８が設けられる。突条部３７,３８は、上下方向に延びる直線状に形成される。
【００２２】
後側板材１４の後面の上部には、ハンドル係止部１０１（図３参照）が設けられる。ハンドル係止部１０１は後方に略水平に突出する板状部である。ハンドル係止部１０１の上面には、後方に回動したハンドル５を載置可能である。これにより、後方に回動したハンドル５は後側板材１４の後面に接触せず、略水平に支持された状態となるので、使用者はハンドル５を容易に掴むことができる。
【００２３】
右側板材１２は、右側面視前後方向に長い略矩形状に形成される。右側板材１２は、湾曲部１２１、前側平面部１２２、後側平面部１２３を備える。湾曲部１２１は右側板材１２の前後方向中央部に形成され、平面視右側方に向けて緩やかに略円弧状に湾曲する。前側平面部１２２は、湾曲部１２１の前端部から前方に略直線状に延びる。後側平面部１２３は、湾曲部１２１の後端部から後方に略直線状に延びる。湾曲部１２１、前側平面部１２２、後側平面部１２３の各形状は、下部筐体７の湾曲部１７１、前側突出部１７２、後側突出部１７３の各形状に夫々対応する。
【００２４】
湾曲部１２１の上端部は、前側平面部１２２と後側平面部１２３の夫々の上端部の高さよりも低い。それ故、湾曲部１２１の上端部、前側平面部１２２の上部の後端部、後側平面部１２３の上部の前端部によって、切欠部１２５が形成される。切欠部１２５は、右側面視上方に開口する略コの字状に形成される。湾曲部１２１の上端部には、径方向内側に突出するリブ１２８が設けられる。湾曲部１２１の内面の下部には、前後方向に離間する位置に一対の固定部１２９が設けられる。固定部１２９は内側に略水平に突出し、その中央部には上下方向に貫通する孔（図示略）が設けられる。湾曲部１２１の下端部には、該下端部に沿うようにして差込片１２７が設けられる。差込片１２７は下方に向けて突出する。湾曲部１２１の上端部近傍で且つ前後方向略中央部には、ハンドル用孔部１７が設けられる。ハンドル用孔部１７には、ハンドル５の一端部が回動可能に軸支される。
【００２５】
前側平面部１２２の内面（左方に向く面）には、該内面の前端側に沿うようにして、前側係合部２１が設けられる。前側係合部２１は左方にリブ状に突出する基部を有し、その基部の上部と下部に一対の鉤状部２１１，２１２を備える。鉤状部２１１，２１２は、前側係合部２１の基部から左方に更に突出し、その突出する先端側が上方向に屈曲する背面視略Ｌ字状に形成される。それ故、鉤状部２１１，２１２の内側には、上方から下方に延びる溝部が形成される。
【００２６】
前側平面部１２２の内面の前下部には、左方に突出する被嵌入部２５１と固定部２７１が設けられる。被嵌入部２５１は、左方に略水平に突出する板状部を備え、その中央には上下方向に貫通する孔（図示略）を備える。固定部２７１は、被嵌入部２５１の後方に隣接するように設けられる。固定部２７１は、前側平面部１２２の内面から左方に略水平に延びる板状部を備え、その先端側には上下方向に貫通する孔（図示略）を備える。前側平面部１２２の内面の上部で、且つ前側係合部２１よりも後方には、被嵌入部２６１（図８参照）が設けられる。被嵌入部２６１は、左方に略水平に突出する板状部を備え、その中央には上下方向に貫通する孔（図示略）を備える。
【００２７】
なお、詳述しないが、後側平面部１２３の内面にも、前側平面部１２２の各部位と前後対称形状の後側係合部２２、被嵌入部２５２、固定部２７２、被嵌入部２６２が夫々設けられる（図７参照）。後側係合部２２には、一対の鉤状部２２１，２２２が設けられる。
【００２８】
左側板材１３は、右側板材１２と略左右対称形状であるので、簡単に説明する。左側板材１３も、右側板材１２と同様に、湾曲部１３１、前側平面部１３２、後側平面部１３３を備える。湾曲部１３１の上端部、前側平面部１３２の上部の後端部、後側平面部１３３の上部の前端部によって、切欠部１３５（図２参照）が形成される。湾曲部１３１の上端部には、径方向内側に突出するリブ１３８が設けられる。湾曲部１３１の内面の下部には、前後方向に離間する位置に一対の固定部１３９が設けられる。固定部１３９は内側に略水平に突出し、その中央部には上下方向に貫通する孔（図示略）が設けられる。湾曲部１３１の下端部には、該下端部に沿うようにして差込片１３７が設けられる。湾曲部１３１の上端部近傍で且つ前後方向略中央部には、ハンドル用孔部１８が設けられる。ハンドル用孔部１８には、ハンドル５の他端部が回動可能に軸支される。
【００２９】
前側平面部１３２の内面（右方に向く面）には、該内面の前端側に沿うようにして、前側係合部２３が設けられる。前側係合部２３は右方にリブ状に突出する基部を有し、その基部の上部と下部に一対の鉤状部２３１，２３２を備える。鉤状部２３１，２３２は、前側係合部２３の基部から右方に更に突出し、その突出する先端側が上方向に屈曲する背面視略Ｌ字状に形成される。それ故、鉤状部２３１，２３２の内側には、上方から下方に延びる溝部が形成される。
【００３０】
前側平面部１３２の内面の前端側下部には、左方に突出する被嵌入部２５３と固定部２７３が設けられる。被嵌入部２５３は、右方に略水平に突出する板状部を備え、その中央には上下方向に貫通する孔（図示略）を備える。固定部２７３は、被嵌入部２５３の後方に隣接するように設けられる。固定部２７３は、前側平面部１３２の内面から右方に略水平に延びる板状部を備え、その先端側には上下方向に貫通する孔２７３Ａを備える。前側平面部１２２の内面の上部で、且つ前側係合部２３よりも後方には、被嵌入部２６３が設けられる。被嵌入部２６３は、右方に略水平に突出する板状部を備え、その中央には上下方向に貫通する孔（図示略）を備える。
【００３１】
なお、詳述しないが、後側平面部１３３の内面にも、前側平面部１３２の各部位と前後対称形状の後側係合部２４、被嵌入部２５４、固定部２７４、被嵌入部２６４が設けられる（図７参照）。後側係合部２４には、一対の鉤状部２４１，２４２が設けられる。固定部２７４には、孔２７４Ａが設けられる。
【００３２】
図７，図８を参照し、前側板材１１、右側板材１２、左側板材１３、後側板材１４の組み付け方法の一例を説明する。作業者は、先ず、右側板材１２と左側板材１３を左右両側に立てて、互いに対向するように配置する。前側板材１１と右側板材１２を連結する為に、右側板材１２の前側平面部１２２に設けた前側係合部２１の鉤状部２１１，２１２の夫々の溝部に対し、前側板材１１の後面右側の突条部３１，３２（図８参照）を上方から下方に差し込んで嵌入させる。このとき、前側板材１１の上面部１１１の下面の右端部に設けた嵌入部１１３を、右側板材１２の前側平面部１２２の内面上部に設けた被嵌入部２６１の孔に上方から嵌入させる。さらに、前側板材１１の後面の右下部に設けた嵌入部１１４を、右側板材１２の前側平面部１２２の内面下部に設けた被嵌入部２５１の孔に上方から嵌入させる。これにより、前側板材１１と右側板材１２が互いに強固に連結する。
【００３３】
さらに、前側板材１１と左側板材１３を連結する為に、左側板材１３の前側平面部１３２に設けた前側係合部２３の鉤状部２３１，２３２の夫々の溝部に対し、前側板材１１の後面左側の突条部３３，３４（図８参照）を上方から下方に差し込んで嵌入させる。このとき、前側板材１１の上面部１１１の下面の左端部に設けた嵌入部１１３を、左側板材１３の前側平面部１３２の内面上部に設けた被嵌入部２６３の孔に上方から嵌入させる。さらに、前側板材１１の後面の左下部に設けた嵌入部１１４を、左側板材１３の前側平面部１３２の内面下部に設けた被嵌入部２５３の孔に上方から嵌入させる。これにより、前側板材１１と左側板材１３が互いに強固に連結する。
【００３４】
さらに、後側板材１４と右側板材１２を連結する為に、右側板材１２の後側平面部１２３に設けた後側係合部２２の鉤状部２２１，２２２の夫々の溝部に対し、後側板材１４の前面右側の突条部３５，３６を上方から下方に差し込んで嵌入させる。このとき、後側板材１４の上面部１４１の下面の右端部に設けた嵌入部１４３を、右側板材１２の後側平面部１２３の内面上部に設けた被嵌入部２６２の孔に上方から嵌入させる。さらに、後側板材１４の前面の右下部に設けた嵌入部１４４を、右側板材１２の後側平面部１２３の内面下部に設けた被嵌入部２５２の孔に上方から嵌入させる。これにより、後側板材１４と右側板材１２が互いに強固に連結する。
【００３５】
さらに、後側板材１４と左側板材１３を連結する為に、左側板材１３の後側平面部１３３に設けた後側係合部２４の鉤状部２４１，２４２の夫々の溝部に対し、後側板材１４の前面左側の突条部３７，３８を上方から下方に差し込んで嵌入させる。このとき、後側板材１４の上面部１４１の下面の左端部に設けた嵌入部１４３を、左側板材１３の後側平面部１３３の内面上部に設けた被嵌入部２６４の孔に上方から嵌入させる。さらに、後側板材１４の前面の左下部に設けた嵌入部１４４を、左側板材１３の後側平面部１３３の内面下部に設けた被嵌入部２５４の孔に上方から嵌入させる。これにより、後側板材１４と左側板材１３が互いに強固に連結する。
【００３６】
このようにして、前側板材１１、右側板材１２、左側板材１３、後側板材１４が互いに強固に連結されることによって、上部筐体８が構成される。上記の通り、右側板材１２の前側係合部２１の鉤状部２１１，２１２、及び左側板材１３の前側係合部２３の鉤状部２３１，２３２に対し、前側板材１１の右側の突条部３１，３２、及び左側の突条部３３，３４を上方から同時に差し込むことができる。さらに、右側板材１２の後側係合部２２の鉤状部２２１，２２２、及び左側板材１３の後側係合部２４の鉤状部２４１，２４２に対し、後側板材１４の右側の突条部３５，３６、及び左側の突条部３７，３８を上方から同時に差し込むことができる。これにより、上部筐体８の組み付けを容易にできる。
【００３７】
図９を参照し、下部筐体７の内部構造を具体的に説明する。上記の通り、下部筐体７は、上部が開口する有底略筒状に形成される。下部筐体７の内部には、支持台４１、バーナ１０、ガス量調節装置４０、温度センサ４２、イグナイタ電極４４、熱電対４５、四本の第一固定筒部４７、四本の係止突起４８（図９では二本のみ図示）、三本の第二固定筒部４９（図９では一本のみ図示）、リング状板材５０等が設けられる。
【００３８】
支持台４１は金属製で、且つ略水平面を有する板状に形成され、下部筐体７の底部上面から上方に離間した位置に支持される。ガス量調節装置４０は、支持台４１の下側に固定される。ガス量調節装置４０には、ガス供給管１９が図示外のガス管を介して接続される。支持台４１には、操作パネル１７５による操作に基づき、ガス炊飯器１の動作を制御する制御装置（図示略）が固定される。ガス量調節装置４０は、制御装置からの制御信号に基づき、バーナ１０に供給するガス量を調節する。
【００３９】
バーナ１０は、上部にリング状のバーナヘッド１０Ａを有し、支持台４１の略中央部に設けた開口部（図示略）に対し、上下方向に挿通するように固定される。温度センサ４２は、バーナヘッド１０Ａの内側において上下方向に出退可能に支持される。温度センサ４２は、図示外のバネにより上方に常時付勢され、内釜９の釜底に当接可能である。温度センサ４２はその周囲を円筒状のカバー４２Ａにより囲まれている。イグナイタ電極４４及び熱電対４５は、支持台４１に固定され、バーナヘッド１０Ａの近傍に支持される。イグナイタ電極４４は、制御装置からの制御信号に従い、スパーク放電を発生することで、バーナ１０を点火させる。熱電対４５は、バーナ１０の失火を検出し、検出信号を制御装置に出力する。
【００４０】
四本の第一固定筒部４７は、下部筐体７の右側壁の湾曲部１７１の前端部近傍の一箇所、左側壁の湾曲部１７１の前端部近傍の一箇所、後壁の左右両端部近傍の二箇所に夫々立設される。四本の第一固定筒部４７は、下部筐体７と一体成型される。第一固定筒部４７は、下部筐体７の底部上面から上方向に突出する略筒状に形成され、その上部内側には固定孔（図示略）が形成される。四本の第一固定筒部４７の各位置は、上部筐体８の右側板材１２の固定部２７１，２７２、左側板材１３の固定部２７３，２７４の各位置に対応する。上部筐体８の右側板材１２の固定部２７１，２７２、及び左側板材１３の固定部２７３，２７４は、対応する四本の第一固定筒部４７に対し、図示外のネジで固定される。
【００４１】
四本の係止突起４８のうち二本の係止突起４８は、下部筐体７の右側に位置する二本の第一固定筒部４７の間であって、下部筐体７の右側壁の内面近傍に立設される。残りの二本の係止突起４８は、下部筐体７の左側に位置する二本の第一固定筒部４７の間であって、下部筐体７の左側壁の内面近傍に立設される。これら四本の係止突起４８は、下部筐体７と一体成型される。係止突起４８は、下部筐体７の底部上面から上方向に突出する略柱状に形成され、右側壁又は左側壁の夫々の内面の上端部との間には隙間が形成される。
【００４２】
三本の第二固定筒部４９は、下部筐体７の底部において、バーナ１０を中心とする円の周方向において等間隔に設けられ、下部筐体７と一体成型される。第二固定筒部４９は、下部筐体７の底部上面から上方向に突出する略筒状に形成され、その上部内側には固定孔（図示略）が形成される。第二固定筒部４９の高さは、第一固定筒部４７の高さよりも低い。
【００４３】
リング状板材５０は金属製で、且つ平面視略リング状に形成され、支持台４１の上方に支持された状態で、下部筐体７に固定される。リング状板材５０の中央部には、上下方向に貫通する円形状の開口部５２が設けられる。開口部５２の内側には、バーナ１０のバーナヘッド１０Ａが挿入して配置される（図５，図６参照）。リング状板材５０の上面の外周縁部には、外側係止部５３が設けられる。外側係止部５３は、リング状板材５０の外周縁部に沿って形成され、上方にリブ状に突出する。開口部５２の内縁部には、内側係止部５４が設けられる。内側係止部５４は、開口部５２の内縁部に沿って形成され、上方にリブ状に突出する。
【００４４】
リング状板材５０の外周縁部において互いに等間隔で離間する三箇所には、凹状に切り欠いた三つの凹部５０１が設けられ。これら三つの凹部５０１には、略Ｌ字状の固定片５５（図９では一本のみ図示）が夫々設けられる。固定片５５は、凹部５０１から下方に垂下し、下端部が外方に屈曲する。固定片５５の外方に屈曲する下端部には、上下方向に貫通する孔５５Ａが形成される。これら三本の固定片５５の各孔５５Ａは、下部筐体７の底部に設けられた三本の第二固定筒部４９の各位置に対応し、ネジで固定される（図５参照）。これにより、三本の固定片５５は、三本の第二固定筒部４９上に固定されるので、リング状板材５０は、下部筐体７の底部に固定される。
【００４５】
リング状板材５０には、周方向において互いに等間隔で離間する三箇所には、上下方向に貫通する三つの固定孔５６が設けられる。これら三つの固定孔５６には、支持筒８０がネジで固定される。さらに、リング状板材５０の外周縁部近傍で且つ互いに周方向にずれた位置には、二つの係止孔５７が設けられる。二つの係止孔５７は、周方向に長いスリット状に形成される。さらに、リング状板材５０の上面には、リング状の温熱ヒータ５８が、内側係止部５４の外面に沿うように配置して取り付けられる。
【００４６】
図９を参照し、上部筐体８の内部構造を説明する。上部筐体８の内側には、外側遮熱筒６０、内側遮熱筒７０、支持筒８０等が同軸上に収納される。
【００４７】
外側遮熱筒６０は金属製で、且つ上下方向に延びる略筒状に形成される。外側遮熱筒６０は、リング状板材５０の外周縁部に対応する大きさを有する。外側遮熱筒６０は、リング状板材５０の上面に載置される。
【００４８】
内側遮熱筒７０も金属製で、且つ外側遮熱筒６０よりも小径の略筒状に形成される。内側遮熱筒７０は、外側遮熱筒６０の内側に同軸上に挿入される。内側遮熱筒７０の上端部において、互いに対向する前側部と後側部には、一対の突出部７１が設けられる。一対の突出部７１は、上方に向けて略矩形状に各々突出する。一対の突出部７１の間には、一対の凹部７２が設けられる。一対の凹部７２は、上部筐体８の切欠部１２５，１３５の夫々に対向配置される。内側遮熱筒７０の下端部には、二つの係止突起７５が互いに離間する位置に設けられる。係止突起７５は下端部から下方に略矩形状に突出する。二つの係止突起７５の位置は、リング状板材５０に設けられた二つの係止孔５７の位置に対応する。
内側遮熱筒７０も、リング状板材５０の上面に載置される。
【００４９】
支持筒８０も金属製で、且つ上下方向に延びる鍔付略円筒状に形成される。支持筒８０は、筒部８１、鍔部８２、底板８９を備える。筒部８１は、内側遮熱筒７０よりも小径の略筒状に形成される。筒部８１の開口する下端部には、径方向内側に突出する突出部（図示略）が設けられる。突出部には、周方向における等間隔の位置に三つの固定孔（図示略）が設けられる。これら三つの固定孔は、リング状板材５０の三つの固定孔５６の各位置に対応する。
【００５０】
鍔部８２は、筒部８１の上端部に設けられ、径方向外側に向けて略フランジ状に突出する。鍔部８２は、上面部８３、外周面部８４、下面部８５を備える。上面部８３は、筒部８１の上端部から径方向外側に突出し、平面視略リング状に形成される。外周面部８４は、上面部８３の外周部から垂下し、鍔部８２の外周面を形成する。外周面部８４において、互いに対向する前側部と後側部には、下部から上方に向けて略矩形状に切り欠いた一対の凹部８６（図９では前側部の凹部８６のみ図示）が夫々設けられる。これにより、外周面部８４は、右側部８４Ａと左側部８４Ｂに分断される。右側部８４Ａには、一対の排気口８４１が周方向に並んで設けられる。左側部８４Ｂには、一対の排気口８４２（図２参照）が周方向に並んで設けられる。排気口８４１，８４２は該周方向に長いスリット状に形成される。排気口８４１，８４２は、鍔部８２の内部と連通する。下面部８５は外周面部８４の下端部から径方向内側に突出する（図１１参照）。
【００５１】
筒部８１の上部における左側部と右側部には、径方向に貫通し、周方向に長い左右一対の流出口８７（図９では左側部の流出口８７のみ図示）が設けられる。左右一対の流出口８７の各位置は、外周面部８４の右側部８４Ａと左側部８４Ｂの各位置に対応する。筒部８１の上部の外周面における流出口８７の下縁部近傍には、閉塞板８８がリベットで固定される。閉塞板８８は、断面略逆Ｌ字状に形成され、径方向外側に突出する部分が鍔部８２の内側で、且つ下面部８５の直上に配置される（図１１参照）。
【００５２】
鍔部８２の上面部８３には、受け部８３１と一対の逃がし部８３２が設けられる。受け部８３１は、平面視略リング状の上面部８３の周方向に沿って断面凹状に形成され、炊飯工程により生じる水滴を受けることができる。一対の逃がし部８３２は、上面部８３の右側部と左側部の夫々の周方向の中央部に設けられ、上面部８３のリブ状に突出する外周部を略矩形状に切り欠いて形成される。一対の逃がし部８３２は、受け部８３１と接続する。逃がし部８３２は、受け部８３１に溜まった水滴を右側部８４Ａ及び左側部８４Ｂの外周面部８４側に誘導できる。
【００５３】
底板８９は平面視略リング状の金属板であって、筒部８１の開口する底部に内側から固定される。底板８９の中央部には、上下方向に貫通する挿通孔８９１が設けられる。挿通孔８９１には、バーナ１０のバーナヘッド１０Ａが下側から挿入される。底板８９の上面には、挿通孔８９１の周囲を取り囲むようにして平面視略リング状の隆起部８９２が設けられる。隆起部８９２は、プレス加工等により上方に山成りに隆起するように形成される。隆起部８９２は、リング状板材５０の上面に取り付けられた温熱ヒータ５８の位置に対応し、温熱ヒータ５８を内側に収容する。底板８９には、三つの固定孔８９３が周方向において互いに等間隔の位置に設けられる。三つの固定孔８９３は、リング状板材５０に設けられた三つの固定孔５６、筒部８１の下端部の突出部に設けられた三つの固定孔の夫々の位置に対応する。底板８９は、筒部８１の突出部にネジで固定される。
【００５４】
図９，図１０を参照し、外側遮熱筒６０、内側遮熱筒７０、支持筒８０の支持構造を説明する。外側遮熱筒６０は、下部筐体７に固定されたリング状板材５０の上面に設置される。外側遮熱筒６０の外周面の下部に対して、外側係止部５３の内縁部が接触する（図１０参照）。これにより、外側遮熱筒６０は、リング状板材５０の上面に位置決めされ、径方向にずれるのを防止できる。内側遮熱筒７０は、外側遮熱筒６０の内側に挿入配置されると共に、リング状板材５０の上面に設置される。内側遮熱筒７０の下端部に設けられた二つの係止突起７５は、リング状板材５０の二つの係止孔５７に夫々係止される。これにより、内側遮熱筒７０もリング状板材５０の上面に位置決めされ、径方向にずれるのを防止できる（図１０参照）。外側遮熱筒６０の内面と内側遮熱筒７０の外面の間には、所定の隙間が形成される。所定の隙間は、空気の断熱層として機能する。
【００５５】
支持筒８０は、内側遮熱筒７０の内側に挿入配置される共に、リング状板材５０の上面に配置される。リング状板材５０に設けられた三つの固定孔５６に対して、支持筒８０の底板８９に設けられた三つの固定孔８９３、支持筒８０の突出部に設けられた三つの固定孔（図示略）が位置決めされ、底板８９の上方からネジ（図示略）が締結される。これにより、支持筒８０は、底板８９を介してリング状板材５０の上面に固定される。底板８９の挿通孔８５１の内側には、バーナヘッド１０Ａ、温度センサ４２、イグナイタ電極４４、熱電対４５が挿入配置される（図６参照）。温熱ヒータ５８は、底板８９の隆起部８９２の内側に収容される。これにより、温熱ヒータ５８は、底板８９を介して、支持筒８０の内側に支持される内釜９を保温できる。
【００５６】
支持筒８０は、外側遮熱筒６０及び内側遮熱筒７０によって周囲を取り囲まれる（図１０参照）。内側遮熱筒７０の上端部に設けられた一対の突出部７１は、支持筒８０の鍔部８２の外周面部８４に設けられた前後一対の凹部８６の内側に配置される（図９参照）。これにより、支持筒８０からの輻射熱が、上部筐体８の前側板材１１及び後側板材１４の夫々の上部に直接伝熱するのを防止できる。そして、内側遮熱筒７０の上端部に設けられた左右一対の凹部７２は、鍔部８２の外周面部８４の右側部８４Ａと左側部８４Ｂの直下に夫々配置される。これにより、外側遮熱筒６０及び内側遮熱筒７０は、支持筒８０の鍔部８２によって上方向への移動が規制される。
【００５７】
なお、ガス炊飯器１では、外側遮熱筒６０及び内側遮熱筒７０を、温熱ヒータ５８を支持する為のリング状板材５０に支持させるので、これら外側遮熱筒６０及び内側遮熱筒７０を支持する為に別途部品を設ける必要が無いので、コスト的にも有利である。
【００５８】
図５，図６に示すように、内釜９は、支持筒８０の内側に上方から挿入される。内釜９の上部のフランジ部９Ａは、支持筒８０の鍔部８２の上面部８３に当接する。これにより、内釜９は、支持筒８０の内側に吊り下げられ、バーナ１０の上方に位置決めされる。
【００５９】
図６，図７，図９を参照し、下部筐体７に対する上部筐体８の固定構造を説明する。上記の通り、上部筐体８は、前側板材１１、右側板材１２、左側板材１３、後側板材１４が互いに連結され、略筒状に構成される。上部筐体８のうち、右側板材１２の内面下部の後側に設けられた固定部２７２（図７参照）、前後一対の固定部１２９のうち前側の固定部１２９、左側板材１３の内面下部の後側に設けられた固定部２７４（図７参照）、前後一対の固定部１３９のうち前側の固定部１３９は、下部筐体７の底面に設けられた四本の第一固定筒部４７（図９参照）に位置決めされ、ネジで固定される。
【００６０】
さらに、右側板材１２の下端部に設けられた差込片１２７（図７参照）は、下部筐体７の底面右側に位置する二本の係止突起４８（図９参照）と、下部筐体７の右側壁の内面との間の隙間に対し、上方から差し込まれて圧入される（図６参照）。一方、左側板材１３の下端部に設けられた差込片１３７（図７参照）は、下部筐体７の底面左側に位置する二本の係止突起４８（図９参照）と、下部筐体７の左側壁の内面との間の隙間に対し、上方から差し込まれて圧入される（図６参照）。これにより、上部筐体８は、外側遮熱筒６０、内側遮熱筒７０、支持筒８０の周囲を取り囲んだ状態で、その下端部が下部筐体７に対して固定される。
【００６１】
このように、本実施形態では、下部筐体７に対して、上部筐体８と、支持筒８０とが夫々独立して固定されている。これにより、炊飯時に加熱される支持筒８０と非接触の状態で、上部筐体８を支持筒８０の周囲に配置できるので、上部筐体８の樹脂化を可能にできる。
【００６２】
なお、本実施形態では、右側板材１２と左側板材１３は互いに共通部品である。これにより、右側板材１２の前後一対の固定部２７１，２７２のうち、第一固定筒部４７に対応する方をネジで固定すればよい。また、前後一対の固定部１２９においても同様に、第一固定筒部４７に対応する方をネジで固定すればよい。左側板材１３においても同様である。
【００６３】
図６，図１１を参照し、ガス炊飯器１における燃焼排気の流れと、冷却空気の流れを説明する。図６に示すように、バーナ１０の燃焼排気は、内釜９の外周面と支持筒８０の内周面と間の隙間を上方に流れる。燃焼排気は、支持筒８０の鍔部８２の内側に流入する。ここで、図１，図２，図１１に示すように、鍔部８２の外周面部８４の右側部８４Ａ及び左側部８４Ｂは、上部筐体８の右側面及び左側面の夫々の上端部に設けられた左右一対の切欠部１２５の内側に配置され、外方に露出される。これにより、図１１に示すように、燃焼排気は、鍔部８２内部を外方に沿って流れ、外周面部８４の右側部８４Ａに設けられた一対の排気口８４１、及び左側部８４Ｂに設けられた一対の排気口８４２を介して外部に排出される（図１１中実線の矢印Ｐ１参照）。従って、燃焼排気の熱気が、樹脂製の上部筐体８に直接触れるのを防止できるので、上部筐体８の変色等の可能性を軽減できる。
【００６４】
一方、ガス炊飯器１の内部において、支持筒８０と上部筐体８の間には、外側遮熱筒６０及び内側遮熱筒７０が配置される。バーナ１０による加熱に伴うドラフト力により、外側遮熱筒６０と上部筐体８の隙間に、下側から上側に向けて冷却空気が流れる（図１１中二点鎖線の矢印Ｐ２参照）。冷却空気は上方に流れると、支持筒８０の鍔部８２の下側に配置された下面部８５に接触し、外方向に編流される。ここで、上部筐体８の左右一対の切欠部１２５，１３５において、鍔部８２の下面部８５と切欠部１２５，１３５の間には、隙間９０が形成される。これにより、外方向に編流された冷却空気は、排気口８４１，８４２の下側に位置する隙間９０を介して外部に排出される。よって、排気口８４１，８４２から排出される燃焼排気が、上部筐体８に直接接触するのを防止できる。また、燃焼排気の排出方向（Ｐ１）と、冷却空気の排出方向（Ｐ２）は同一方向である。これにより、冷却空気の流れがエアカーテンとなることから、燃焼排気は、切欠部１２５，１３５に対してより当たり難くなっている。これにより、排気口８４１，８４２を通過する燃焼排気の熱によって、上部筐体８の切欠部１２５，１３５が高熱になるのをより効果的に防止できる。よって、上部筐体８の変色等の可能性をより効果的に軽減できる。
【００６５】
また、図１，図２に示すように、支持筒８０の鍔部８２の右側部８４Ａ及び左側部８４Ｂの夫々の外周面部８４の形状は、上部筐体８の切欠部１２５，１３５が設けられた外側面の形状と同一である。これにより、ガス炊飯器１は、上部筐体８の外側面における切欠部１２５，１３５の周囲の美観を向上できる。
【００６６】
図５，図６に示すように、ガス炊飯器１の内部では、外側遮熱筒６０と内側遮熱筒７０が互いに隙間を隔てた状態で、支持筒８０の外側に配置される。これにより、支持筒８０から上部筐体８への伝熱が効果的に遮断される。これにより、上部筐体８の樹脂化を可能にできる。
【００６７】
また、本実施形態では、リング状板材５０の上面に、外側遮熱筒６０及び内側遮熱筒７０を載置して位置決めし、支持筒８０の鍔部８２がこれら外側遮熱筒６０及び内側遮熱筒７０の上側に位置するように、支持筒８０を内側遮熱筒７０の内側に上側から差し込んで、リング状板材５０の上面に固定する。そして、上記の通り、外側遮熱筒６０及び内側遮熱筒７０は、リング状板材５０により径方向へのずれが規制され、支持筒８０の鍔部８２により上方向の移動が規制される。これにより、外側遮熱筒６０及び内側遮熱筒７０は、加締め、ネジ止め等の工程を経ずとも、外側遮熱筒６０及び内側遮熱筒７０をリング状板材５０の上面に支持できる。これにより、ガス炊飯器１の組み立て工程を簡素化できる。
【００６８】
また、上部筐体８の前側板材１１の上面部１１１の下面には、一対の当接部１１５（図８参照）が設けられ、後側板材１４の上面部１４１の下面にも、一対の当接部１４５（図７参照）が設けられる。さらに、右側板材１２の湾曲部１２１の上端部にはリブ１２８が設けられ、左側板材１３の湾曲部１３１の上端部にはリブ１３８が設けられる。これら一対の当接部１１５、一対の当接部１４５、リブ１２８，１３８は、出荷時、支持筒８０とは接触していない。これらにより、仮にガス炊飯器１に落下等の衝撃が加わったり、経年変化が生じたとしても、上部筐体８は、一対の当接部１１５、一対の当接部１４５、リブ１２８，１３８を介して、支持筒８０と接触する。そして、略Ｌ字状の当接部１１５，１４５においては、上部筐体８の内側に向かって突出する先端部のみが支持筒８０と接触する。従って、上部筐体８と支持筒８０の接触を最小限にできるので、支持筒８０から上部筐体８に伝熱するのを効果的に防止できる。
【００６９】
また、炊飯工程時に発生する水滴は、支持筒８０の鍔部８２の上面部８３に設けられた受け部８３１に溜まる（図９〜図１１参照）。受け部８３１に溜まった水滴は、一対の逃がし部８３２によって鍔部８２の外周面部８４側に向けて誘導される。上記の通り、右側部８４Ａ及び左側部８４Ｂの外周面部８４側は、燃焼排気及び冷却空気が外部に排出される箇所であるから、バーナ１０におけるガス燃焼に対して影響の少ない箇所である。これにより、ガス炊飯器１は、受け部８３１に溜まった水滴を、一対の逃がし部８３２によってバーナ１０におけるガス燃焼等に影響の少ない外周面部８４側に誘導できる。
【００７０】
以上説明したように、本実施形態のガス炊飯器１は、バーナ１０と、有底筒状に形成され、底板８９に設けられた挿通孔８９１の内側にバーナヘッド１０Ａの炎口部を臨ませると共に、バーナ１０の上方に内釜９を支持し、当該内釜９の周囲を取り囲む支持筒８０と、バーナ１０及び支持筒８０を内側に収容する筐体２とを備える。ガス炊飯器１は、水と米が投入される内釜９を支持筒８０に支持させ、筐体２に設けられた蓋体３を閉じ、バーナ１０を燃焼させ、バーナの燃焼排気を内釜９と支持筒８０との間の空間に通過させて炊飯を行う。筐体２は樹脂製であって、下部筐体７と上部筐体８を備える。下部筐体７は、バーナ１０を内側に収容する。上部筐体８は、下部筐体７の上方に配置され、支持筒８０を内側に収容する。下部筐体７の底部には、リング状板材５０と、該リング状板材５０とは独立して、四本の第一固定筒部４７が立設されている。四本の第一固定筒部４７には、上部筐体８がネジで固定される。これにより、炊飯時に加熱される支持筒８０と非接触の状態で、上部筐体８を支持筒８０の周囲に配置できる。よって、支持筒８０から上部筐体８へ直接伝熱されるのを防止できるので、樹脂製の筐体２を備えるガス炊飯器１において、炊飯時の熱による影響を最小限に抑制できる。
【００７１】
上記説明において、支持筒８０は本発明の「支持体」の一例である。支持筒８０の底板８９は、本発明の「底部」の一例である。リング状板材５０は、本発明の「第一固定部」の一例である。第一固定筒部４７は、本発明の「第二固定部」の一例である。前側板材１１に設けられた一対の当接部１１５、後側板材１４に設けられた一対の当接部１４５、右側板材１２に設けられたリブ１２８、左側板材１３に設けられた１３８は、本発明の「突出部」の一例である。
【００７２】
なお、本発明は上記実施形態に限定されるものではなく、種々の変更が可能である。上記実施形態の筐体２は、略円筒状に形成されるが、筒状であれば、その外形は種々変更可能であり、例えば、角筒状でもよい。下部筐体７と上部筐体８は共に樹脂製であるが、下部筐体７は金属製でもよい。
【００７３】
上部筐体８において、前側板材１１及び後側板材１４側に、突条部３５〜３８を設け、右側板材１２及び左側板材１３側に、鉤状部２１１，２１２，２２１，２２３、２３１，２３２，２４１，２４２を設けたが、夫々を逆に設けてもよく、前側板材１１及び後側板材１４側に鉤状部を設け、右側板材１２及び左側板材１３側に突条部を設けてもよい。
【００７４】
上記実施形態の鉤状部２１１，２１２等は、先端側が上方向に屈曲する略Ｌ字状に形成されることによって、内側に上方向から下方向に差し込み可能な溝部を備えるが、先端側が下方向に屈曲する略Ｌ字状に形成し、内側に下方向から上方向に差し込み可能な溝部を備えるようにしてもよい。
【００７５】
上記実施形態の鉤状部２１１，２１２等は、先端側が上方向に屈曲する略Ｌ字状に形成されることによって、内側に上方向から下方向に差し込み可能な溝部を備えるが、鉤状部とは異なる形状で溝部を形成してもよく、例えば、Ｕ字状の溝部であってもよい。
【００７６】
上記実施形態の上部筐体８は、４枚の樹脂成型品を互いに組み付けることによって構成されるが、４枚以上で構成してもよく、３枚、２枚で構成してもよい。
【００７７】
上記実施形態の支持筒８０は、底板８９を筒部８１の底部に固定するが、底板８９と筒部８１を一体して形成してもよい。
【００７８】
上記実施形態のリング状板材５０は、上面において、外側係止部５３によって外側遮熱筒６０の下端部を位置決めし、一対の係止孔５７に一対の係止突起７５を差し込んで係止することで内側遮熱筒７０の下端部を位置決めするが、これら以外の構造で夫々位置決めしてもよい。
【００７９】
上記実施形態において、上部筐体８の前側板材１１には一対の当接部１１５が設けられ、後側板材１４には一対の当接部１４５（図７参照）が設けられ、右側板材１２にはリブ１２８が設けられ、左側板材１３にはリブ１３８が設けられるが、それらの数、形状、位置等については、自由に変更可能である。好ましくは、前側板材１１、後側板材１４、右側板材１２、左側板材１３の夫々に「突出部」を設けるのがよい。  
【００８０】
上記実施形態において、支持筒８０の鍔部８２の右側部８４Ａの外周面部８４には、一対の排気口８４１が設けられ、左側部８４Ｂの外周面部８４には、一対の排気口８４２が設けられるが、排気口の数、形状、配置等については自由に変更可能である。右側部８４Ａの外周面部８４の外周面形状は、左右方向に長い略矩形状であるが、これ以外の形状であってもよい。これに合わせ、上部筐体８の切欠部１２５，１３５の外側面の形状を変更すればよい。
【００８１】
上記実施形態において、支持筒８０の鍔部８２の上面部８３には、受け部８３１と一対の逃がし部８３２が設けられるが、逃がし部８３２の数、位置等についても自由に変更可能である。
【００８２】
上記実施形態において、筐体２内部には、外側遮熱筒６０と内側遮熱筒７０を備えるが、遮熱筒は一つでもよく、２枚以上であってもよい。
【符号の説明】
【００８３】
１      ガス炊飯器
２      筐体
３      蓋体
７      下部筐体
８      上部筐体
９      内釜
１０      バーナ
４７      第一固定筒部
５０      リング状板材
８０      支持筒
８９      底板
１１５      当接部
１２８      リブ
１３８      リブ
１４５      当接部
【図１】
2020065679.tif 000003
【図２】
2020065679.tif 000004
【図３】
2020065679.tif 000005
【図４】
2020065679.tif 000006
【図５】
2020065679.tif 000007
【図６】
2020065679.tif 000008
【図７】
2020065679.tif 000009
【図８】
2020065679.tif 000010
【図９】
2020065679.tif 000011
【図１０】
2020065679.tif 000012
【図１１】
2020065679.tif 000013